(57)【要約】【課題】電子レンジで加熱調理後に、把手部を手で掴んで電子レンジから安全に取り出せる構造を有する電子レンジ調理用紙容器を提供することにある。【解決手段】少なくとも、長方形の底面板の一方の長辺に先端に凹部を有する側面板が罫線を介して連設され、他方の長辺に長方形の側面板、長方形の天面板、フラップがそれぞれ罫線を介して順次連設され、前記底面板の両側の短辺に長方形の側面板と、紙容器使用時に把手部となる把手用下側板及び先端に近接する位置に天面板に引っ掛ける為の切り込みを有する把手用上側板とがそれぞれ罫線を介して連設されているブランクからなる電子レンジ調理用紙容器で、前記把手用下側板及び把手用上側板が内側に折り返されて紙容器内に収納され、その上を覆う状態で天面板が罫線を介して折り返され、さらにフラップが罫線を介して折り返され、差し込まれていることを特徴とする。【選択図】図１
2006021778.tif 000002
【特許請求の範囲】
【請求項１】
少なくとも、長方形の底面板の一方の長辺に先端に凹部を有する側面板が罫線を介して連設され、他方の長辺に長方形の側面板、長方形の天面板、フラップがそれぞれ罫線を介して順次連設され、前記底面板の両側の短辺に長方形の側面板と、紙容器使用時に把手部となる把手用下側板及び先端に近接する位置に天面板に引っ掛ける為の切り込みを有する把手用上側板とがそれぞれ罫線を介して連設されているブランクからなる電子レンジ調理用紙容器で、前記把手用下側板及び把手用上側板が内側に折り返されて紙容器内に収納され、その上を覆う状態で天面板が罫線を介して折り返され、さらにフラップが罫線を介して折り返され、差し込まれていることを特徴とする電子レンジ調理用紙容器。
【発明の詳細な説明】
【技術分野】
【０００１】
本発明は、各種食品などの内容物を中に入れ、電子レンジで加熱調理する為の紙容器に関するものである。
【背景技術】
【０００２】
近年、個食化が進み、例えばレトルトパウチ等に充填密封された食品をトレー形状の電子レンジ調理用の紙容器に移し入れ、蓋をした後に電子レンジで加熱調理して食する例が多く、この場合、食品が加熱され、発生した水蒸気で内圧が上昇し、紙容器の蓋部分が凸状に膨れ上がる。使用した電子レンジ調理用の紙容器が図３に示したような形状のものであると、電子レンジで加熱された時に側面板の先端に設けた把手部（５２、５３）と天面板（１６′）との間に生じた隙間から高温の水蒸気（６１）が把手部（５２、５３）方向に漏れだし、把手部（５２、５３）を手で掴んで紙容器を電子レンジから取り出す時に高温の水蒸気で火傷する等の危険性があった。
【特許文献１】実開平５−７６６５号公報
【発明の開示】
【発明が解決しようとする課題】
【０００３】
本発明の課題は、電子レンジで加熱調理後に、把手部を手で掴んで電子レンジから安全に取り出せる構造を有する電子レンジ調理用紙容器を提供することにある。
【課題を解決するための手段】
【０００４】
本発明の請求項１に係る発明は、少なくとも、長方形の底面板の一方の長辺に先端に凹部を有する側面板が罫線を介して連設され、他方の長辺に長方形の側面板、長方形の天面板、フラップがそれぞれ罫線を介して順次連設され、前記底面板の両側の短辺に長方形の側面板と、紙容器使用時に把手部となる把手用下側板及び先端に近接する位置に天面板に引っ掛ける為の切り込みを有する把手用上側板とがそれぞれ罫線を介して連設されているブランクからなる電子レンジ調理用紙容器で、前記把手用下側板及び把手用上側板が内側に折り返されて紙容器内に収納され、その上を覆う状態で天面板が罫線を介して折り返され、さらにフラップが罫線を介して折り返され、差し込まれていることを特徴とする電子レンジ調理用紙容器である。
【発明の効果】
【０００５】
本発明の電子レンジ調理用紙容器は、少なくとも、長方形の底面板の一方の長辺に先端に凹部を有する側面板が罫線を介して連設され、他方の長辺に長方形の側面板、長方形の天面板、フラップがそれぞれ罫線を介して順次連設され、前記底面板の両側の短辺に長方形の側面板と、紙容器使用時に把手部となる把手用下側板及び先端に近接する位置に天面板に引っ掛ける為の切り込みを有する把手用上側板とがそれぞれ罫線を介して連設されているブランクからなる電子レンジ調理用紙容器で、前記把手用下側板及び把手用上側板が内側に折り返されて紙容器内に収納され、その上を覆う状態で天面板が罫線を介して折り返され、さらにフラップが罫線を介して折り返され、差し込まれているので、この電子レンジ調理用紙容器を、加熱調理時に発生した高温の水蒸気が紙容器の中心方向に吹き出るようにして使用することにより、加熱調理後に把手部を掴んで電子レンジから安全に取り出すことができる。
【発明を実施するための最良の形態】
【０００６】
本発明の電子レンジ調理用紙容器を実施の形態に沿って、以下に説明する。図１（ａ）
は本発明の電子レンジ調理用紙容器に使用されるブランクの一実施形態を示す平面図であり、ブランク（１）は長方形の底面板（１０）の一方の長辺に罫線（３０）を介して、先端に凹部（１１）を有する側面板（１２）が連設され、他方の長辺に長方形の側面板（１３）、長方形の天面板（１６）、フラップ（１７）がそれぞれ罫線（３１）、罫線（３２）、罫線（３３）を介して連設され、底面板（１０）の一方の短辺に長方形の側面板（１４）、把手用下側板（１８）、先端に近接する位置に天面板（１０）に引っ掛ける為の所定形状の切り込み（２２）を有する把手用上側板（２０）が罫線（３４）、罫線（３５）、罫線（３６）を介して順次連設され、他方の短辺に長方形の側面板（１５）、把手用下側板（１９）、先端に近接する位置に天面板（１０）に引っ掛ける為の所定形状の切り込み（２３）を有する把手用上側板（２１）が罫線（３７）、罫線（３８）、罫線（３９）を介して順次連設されており、さらに底面板（１０）の四隅にそれぞれ舌片（２４、２５、２６、２７）が連設されており、（ｂ）及び（ｃ）は本発明の電子レンジ調理用紙容器の一実施形態を示す斜視図であり、電子レンジ調理用紙容器（２）は、前記ブランク（１）からなっており、前記ブランク（１）の把手用下側板（１８）と切り込み（２２）を有する把手用上側板（２０）、及び把手用下側板（１９）と切り込み（２３）を有する把手用上側板（２１）が内側に折り返されて収納されており、その上を天面板（１６）が覆うようにして折り返され、さらにフラップ（１７）が折り返され、差し込まれており、舌片（２４）及び舌片（２６）がそれぞれ罫線（４０）、罫線（４２）を介してその内面同士が接するように２枚に折り重ねられ、さらに側面板（１４）側に折り曲げられて、接着されている。また、図示していないが、反対側も同様に、舌片（２５）及び舌片（２７）がそれぞれ罫線（４１）、罫線（４３）を介してその内面同士が接するように２枚に折り重ねられ、さらに側面板（１５）側に折り曲げられ、接着されている。
【０００７】
図２（ａ）〜（ｃ）は本発明の電子レンジ調理用紙容器の使用例を説明する為の図であり、まず図２（ａ）に示すように、フラップ（１７）及び天面板（１６）を上方に引き上げ、さらに、中に収納されている把手用下側板（１８）と把手用上側板（２０）、及び把手用下側板（１９）と把手用上側板（２１）を外側方向に引き出した後に、食品などの内容物（６０）を電子レンジ調理用紙容器内に入れ、引き続き、図２（ｂ）に示すように、フラップ（１７）及び天面板（１６）を元の状態に戻し、両側の把手用上側板（２０）及び把手用上側板（２１）を電子レンジ調理用紙容器の中心方向にさらに折り返し、それぞれの切り込み（２２）及び切り込み（２３）の中に天面板（１６）の短辺の一部を差し込んで、把手部（５０、５１）を設ける。しかる後に図２（ｃ）に示すように、電子レンジで加熱調理する。この時、内容物（６０）が加熱され、発生した高温の水蒸気（６１）は把手部（５０、５１）の折返部の反対方向、即ち電子レンジ調理用紙容器の中心方向に吹き出るので、加熱調理後に把手部（５０、５１）を手で掴んで安全に取り出だせる。
【０００８】
本発明の電子レンジ調理用紙容器に使用する材料は、紙基材層の両面に耐熱性樹脂層を積層した積層材料が好ましく、紙基材層に使用する紙は坪量２００〜５００ｇ／ｍ2 の板紙を使用し、耐熱性樹脂層に使用する樹脂はポリプロピレン系樹脂、ポリエステル系樹脂、ポリメチルペンテン樹脂が好ましく、厚さは適宜選定する。
【図面の簡単な説明】
【０００９】
【図１】（ａ）は本発明の電子レンジ調理用紙容器に使用されるブランクの一実施形態を示す平面図であり、（ｂ）及び（ｃ）は本発明の電子レンジ調理用紙容器の一実施形態を示す斜視図である。
【図２】（ａ）〜（ｃ）は本発明の電子レンジ調理用紙容器の使用例を説明する為の図である。
【図３】従来の電子レンジ調理用紙容器の使用例を説明する為の図である。
【符号の説明】
【００１０】
１…ブランク
２…電子レンジ調理用紙容器
１０…底面板
１１…凹部
１２，１２′，１３，１４，１４′，１５…側面板
１６，１６′…天面板
１７，１７′…フラップ
１８，１９…把手用下側板
２０，２１…把手用上側板
２２，２３…切り込み
２４，２５，２６、２７…舌片
３０，３１，３２，３３，３４，３５，３６，３７，３８，３９…罫線
４０，４１，４２，４３…罫線
５０，５１，５２，５３…把手部
６０…内容物
６１…水蒸気
【図１】
2006021778.tif 000003
【図２】
2006021778.tif 000004
【図３】
2006021778.tif 000005